(57)【要約】【課題】対側に先端を出さずに固定でき骨質の脆い海綿骨内に固定する場合にも必要な固定力が得られる骨接合用固定具を提供する。【解決手段】骨接合用固定具１は筒体２と一対のブレード３，３とブレード回転体４と筒体２に螺着する押し下げ円板５とを有する。ブレード３は外形ノ字状に形成され下端が相互に外方を向くようＸ字形に揃え、軸体３ｆを挿通して組立てる。ブレード回転体４の脚部４ｂをブレード３の頭部３ａに当接し、押し下げ円板５を筒体２に螺着する。押し下げ円板５を捻じ込むと、ブレード回転体４の脚部４ｂが、ブレード３の頭部を押し下げることでこれを回動させ、ブレード３は海綿骨内で、その組織を切開しながら拡開した位置で留まる。【選択図】図１
2007089929.tif 000002
【特許請求の範囲】
【請求項１】
外面に雄ネジを螺刻し内面の軸方向に対向する一対の溝部を形成する筒体と、頭部断面が略１／４円形状で尖鋭化する下端に向かって弧状に曲折し、頭部に略１／４円の直線部と平行に軸体を挿通すると共に、平坦な内側面を相互に摺動可能に隣接し外側面より突出する前記軸体の両端が前記溝部に沿って移動可能な一対のブレードと、円形の頂板下面より前記軸体から離隔した前記ブレード頭部の円周近傍に一対の脚部を垂下し頂板の側面より突出する一対の突起部が前記溝部に沿って移動可能なブレード回転体と、少なくとも雄ネジ部を有しブレード回転体の頂板に当接する押し下げ部を備えることを特徴とする骨接合用固定具。
【請求項２】
前記筒体は、内面に雌ネジを螺刻し、前記押し下げ部は、この筒体雌ネジに螺着する押し下げ円板であることを特徴とする請求項１記載の骨接合用固定具。
【発明の詳細な説明】
【技術分野】
【０００１】
この発明は、骨折した骨片を接合する際に用いる骨接合用固定具に関し、詳しくは直接骨に打ち込んだり、あるいは骨折治療用の金属プレートを固定する際に用いるスクリューの代わりとなる骨接合用固定具に関する。
【背景技術】
【０００２】
従来、骨折の固定には長年にわたり金属螺子が使われてきた。例えば大腿骨頸部骨折等の場合には複数本の螺子を使用して内固定したり、あるいはプレートとこれを挿通する複数本のスクリューからなる内固定部材を用いて骨接合の治療を行ってきた。
【０００３】
大腿骨頸部骨折治療用の内固定部材としては、例えば下記に示すような文献に記載される骨接合用固定具がある。
【特許文献１】特開平８−１２６６５０号  この内固定部材は、骨幹部に沿わせるプレートを固定するためのボーンスクリューや、骨頭部に刺入する骨頭部固定スクリューを有していた。一般に骨接合用固定具としてのスクリューには、皮質骨用スクリューと海綿骨用スクリューとがあり、固定する骨質によって使い分けていた。
【０００４】
例えば骨質が脆弱な海綿骨にその本体部を留める海綿骨スクリューの場合、ネジ山部を高くすると共にネジ谷部を深くして抵抗を大きくとれるようにしていた。又海綿骨では必要な固定力が期待できない場合には、皮質骨スクリューを対側の皮質骨まで捻じ込み固定していた。
【発明の開示】
【発明が解決しようとする課題】
【０００５】
しかし、従来の海綿骨スクリューの場合、骨粗鬆症等でネジ山に食い込む骨質の脆弱度が進行すると必要な抵抗が得られず抜け出てしまう恐れがあり、固定できない場合があった。又皮質骨スクリューを対側まで捻じ込む場合には、ネジの先端が骨外に出ないと固定できず、結局突出したネジ先端で筋腱等の軟部組織を損傷してしまうことがあった。
【０００６】
この発明は、従来の骨接合用固定具が有する上記の問題点を解消すべくなされたものであり、対側に先端を出さずに固定でき、骨質の脆い海綿骨内に固定する場合にも、必要な固定力が得られる骨接合用固定具を提供することを目的としている。
【課題を解決するための手段】
【０００７】
上記課題を解決するため、この発明の骨接合用固定具は、外面に雄ネジを螺刻し内面の軸方向に対向する一対の溝部を形成する筒体と、頭部断面が略１／４円形状で尖鋭化する下端に向かって弧状に曲折し、頭部に略１／４円の直線部と平行に軸体を挿通すると共に、平坦な内側面を相互に摺動可能に隣接し外側面より突出する前記軸体の両端が前記溝部に沿って移動可能な一対のブレードと、円形の頂板下面より前記軸体から離隔した前記ブレード頭部の円周近傍に一対の脚部を垂下し頂板の側面より突出する一対の突起部が前記溝部に沿って移動可能なブレード回転体と、少なくとも雄ネジ部を有しブレード回転体の頂板に当接する押し下げ部を備えることを特徴とするものである。
【０００８】
筒体の雄ネジは、穴あけ場合によってはタッピングされた皮質骨や、雌ネジを設けるプレートに螺着したり、その先端を海綿骨内に直接捻じ込む構成である。筒体に設ける溝部は、ブレード及びブレード回転体の回動を阻止しながらこれらを下方にガイドするもので、下端にはストッパーを設けることが望ましい。
【０００９】
又筒体頂部には回動用治具が嵌合する切欠部を形成し、下端にはブレードが回動した際に円周部が筒体と接触しないよう開口部を設けることが望ましい。筒体の長さは少なくとも下端部が海綿骨内に進入し、上端が皮質骨上面若しくはプレート上面（使用する場合）に位置するよう、皮質骨厚及びプレート厚を考慮して設定する。
【００１０】
ブレードは外形ノ字状の下端が相互に外方を向くように揃え、軸体を偏心した位置に挿通して組立てる。この組立体は筒体を通過可能な断面で、軸体を中心にして相互に回動可能とする。ブレードは海綿骨内で、その組織を切開しながら回動し、拡開した位置で留まれる断面形状とする。
【００１１】
ブレード回転体の脚部は、ブレード頭部の円周近傍を押し下げることでブレードを回動させるもので、回動するブレードと連続的に接触するため下端は球面状とすることが望ましい。ブレード回転体も筒体内に収納され常にブレード上部に位置する。
【００１２】
押し下げ部は、ブレード回転体を押圧しブレードの海綿骨内での抵抗力に抗して、これらを押し下げ又は回動するもので、少なくとも雄ネジ部を捻じ込みながらブレード回転体を降下させる。押し下げ部は筒体とは別個の構成でもよい。この場合雄ネジ部を螺着する部材が必要となる。
【００１３】
請求項２記載の骨接合用固定具の筒体は、内面に雌ネジを螺刻し、前記押し下げ部は、この筒体雌ネジに螺着する押し下げ円板であることを特徴とするものである。押し下げ部を筒体内に収納することで蓋体兼用とする。円板には例えば回動用治具嵌合用の孔部を穿設して捻じ込み操作を容易にする。
【発明の効果】
【００１４】
この発明の骨接合用固定具は、回動する一対のブレードを有するので、海綿骨内でも面で支えることになるために固定力が増強する。又対側に先端を出さずに固定できるので筋腱等の軟部組織を損傷する恐れがない。
【００１５】
請求項２記載の骨接合用固定具は、筒体内面に雌ネジを螺刻し、これに押し下げ部を螺着する構成であるため、筒体の外部に突出するものがなくなる。
【発明を実施するための最良の形態】
【００１６】
次にこの発明の実施の形態を添付図面に基づき詳細に説明する。図１はこの発明の骨接合用固定具の要部を断面で示す正面図、図２は同様に要部を断面で示す右側面図である。骨接合用固定具１は、筒体２と、一対のブレード３，３と、ブレード回転体４と、筒体２に螺着する押し下げ円板５とを有する。
【００１７】
これら骨接合用固定具１を構成する各パーツの詳細を図３乃至図１１に基づき説明する。図３は筒体の平面図、図４は図３のＡ方向矢視図である。筒体２は、外面に雄ネジ２ａ、内面に雌ネジ２ｂを夫々螺刻し、内面の軸方向には対向する一対の溝部２ｃ，２ｃを形成する。溝部２ｃは筒体２の上端より開設し、下端にストッパー２ｄを設ける。
【００１８】
筒体２の頂部には、例えば十字レンチ等の回動用治具が嵌合する切欠部２ｅを形成し、下端には開口部２ｆを開設する。
【００１９】
次に図５乃至図７に基づきブレードの構成を説明する。図５はブレードの平面図、図６は同正面図、図７は同右側面図である。ブレード３は、図６に示すように夫々が外形ノ字状に形成され、その頭部３ａは略１／４円形状の平坦面であって、外面３ｂは尖鋭化する下端に向かって弧状に曲折する曲面を形成し、内側面３ｃは平坦面を形成して相互に摺動可能に隣接する。ブレード３は、前方側面３ｄの下端が相互に外方を向くようＸ字形に揃える。
【００２０】
ブレード３は、頭部３ａの前方側面３ｄ側である略１／４円の直線部３ｅと平行に軸体３ｆを挿通して組立てる。この組立体は筒体２を通過可能な断面であって、軸体３ｆを中心にして相互に回動可能であり、外面３ｂより突出する軸体３ｆの両端が筒体２の溝部２ｃに侵入する。
【００２１】
ブレード回転体を図８及び図９に基づき説明する。図８はブレード回転体の正面図、図９は同平面図である。ブレード回転体４は、円形の頂板４ａと、その下面より垂下する一対の脚部４ｂ，４ｂと、頂板４ａの側面４ｃより突出する一対の突起部４ｄ，４ｄを有する。ブレード回転体４も筒体２内に収納される大きさで、突起部４ｄ，４ｄを溝部２ｃに侵入する。脚部４ｂの位置は、ブレード３の頭部３ａにおける内側面３ｃ側の円周近傍とする。又下端４ｅの形状は球面状とする。
【００２２】
次に押し下げ円板の構成を図１０及び図１１に基づき説明する。図１０は押し下げ円板の平面図、図１１は同正面図である。押し下げ円板５は雄ネジ部５ａを有する円板であって、中央に回動用治具嵌合用の孔部５ｂを穿設する。押し下げ円板５は筒体２の雌ネジ２ｂに螺着し、ブレード回転体４の頂板４ａに当接する。
【００２３】
以上説明した骨接合用固定具を骨に取り付ける手順を図１２に基づき説明する。図１２は骨接合用固定具の取り付け手順の説明図である。取付箇所の皮質骨６に穴６ａを穿設しタッピングを行う（図１２（ａ））。この穴６ａに筒体２を螺着し十字レンチ等を用いて上端部が皮質骨６の表面と面一となるよう捻じ込む。この時筒体２の下端部は海綿骨７内に直接捻じ込まれる（図１２（ｂ））。
【００２４】
セットした筒体２の溝部２ｃに、組み立てたブレード３，３の軸体３ｆを差込みながら頭部３ａを押圧して海綿骨７内に先端を押し込む。ブレード３は、その先端が尖鋭であるため押込み力のみで海綿骨７内に進入できる（図１２（ｃ））。
【００２５】
次にブレード回転体４の突起部４ｄを溝部２ｃに差込み、その脚部４ｂをブレード３の頭部３ａに当接する。続いて押し下げ円板５を筒体２に螺着しブレード回転体４の頂板４ａに当接するまで捻じ込む（図１２（ｄ））。
【００２６】
更に、押し下げ円板５を回動用治具により捻じ込むと、ブレード回転体４の脚部４ｂが、ブレード３の頭部を押し下げることでこれを回動させ、ブレード３は海綿骨７内で、その組織を切開しながら拡開した位置で留まる（図１２（ｅ））。
【００２７】
筒体は雌ネジを設けるプレートに螺着する構成でもよい。この実施形態を図１３に示す。なお図１３において、図１乃至図１２と同様な構成・作用のものは同一の符号を付して説明は省略する。プレート８には筒体２が螺着する雌ネジを形成する。皮質骨６には予め穴６ａを穿設するが、筒体２はプレート８の雌ネジにガイドされるのでタッピングは行わなくても捻じ込み操作は可能である。
【産業上の利用可能性】
【００２８】
この発明の骨接合用固定具は、骨質の脆い海綿骨内に固定する従来の海綿骨スクリューに代わって使用できるものである他、皮質骨スクリューの代わりにも広く適用できる。
【図面の簡単な説明】
【００２９】
【図１】骨接合用固定具の要部を断面で示す正面図である。
【図２】骨接合用固定具の要部を断面で示す右側面図である。
【図３】筒体の平面図である。
【図４】図３のＡ方向矢視図である。
【図５】ブレードの平面図である。
【図６】ブレードの正面図である。
【図７】ブレードの右側面図である。
【図８】ブレード回転体の正面図である。
【図９】ブレード回転体の平面図である。
【図１０】押し下げ部の平面図である。
【図１１】押し下げ部の正面図である。
【図１２】骨接合用固定具の取り付け手順の説明図である。
【図１３】別の実施形態における骨接合用固定具の断面図である。
【符号の説明】
【００３０】
１  骨接合用固定具
２  筒体
３  ブレード
４  ブレード回転体
５  押し下げ円板
【図１】
2007089929.tif 000003
【図２】
2007089929.tif 000004
【図３】
2007089929.tif 000005
【図４】
2007089929.tif 000006
【図５】
2007089929.tif 000007
【図６】
2007089929.tif 000008
【図７】
2007089929.tif 000009
【図８】
2007089929.tif 000010
【図９】
2007089929.tif 000011
【図１０】
2007089929.tif 000012
【図１１】
2007089929.tif 000013
【図１２】
2007089929.tif 000014
【図１３】
2007089929.tif 000015